(57)【特許請求の範囲】
【請求項１】
内部に燃料が貯留され、上壁に取付用孔部が形成された燃料タンク本体と、
前記取付用孔部から前記燃料タンク本体の内部に挿入されて載置されると共に、長手方向の長さが前記取付用孔部の直径よりも長く、前記長手方向の端部に前記長手方向と直交した幅方向に延在する軸体が設けられている内蔵部品と、
前記燃料タンク本体の底壁に固定され、平面視において前記取付用孔部とオフセットされた位置に前記軸体を回転可能に支持する凹部が車両上下方向上側に開口しているサブタンクと、
を備える燃料タンク。
【請求項２】
前記サブタンクの底面から車両上方に延在する一対の側板には、前記凹部が形成されており、前記凹部は、
前記側板の上面から車両下方に延在する鉛直部と、
前記鉛直部の下端から車幅方向に延在する水平部と、
を備え、前記水平部には、局所的に幅を狭くした係止部が形成されている請求項１記載の燃料タンク。
【請求項３】
燃料タンク本体の上壁に形成された取付用孔部を介して前記燃料タンク本体の底壁に固定されたサブタンクに長手方向長さが前記取付用孔部の直径よりも長い内蔵部品を取り付ける燃料タンクの組み付け方法であって、
ガイド部材が前記取付用孔部から前記燃料タンク本体の内部に挿入され、前記サブタンクに設けられた被係合部に長手方向一端部に形成された係合部が係合されると共に、長手方向他端部側が前記取付用孔部の縁に支持される第１工程と、
前記ガイド部材の内部を前記長手方向他端部側から前記長手方向一端部側に前記内蔵部品をスライドさせることにより、前記内蔵部品の長手方向の端部に当該長手方向と直交した幅方向に延在して設けられている軸体が前記サブタンクの側壁に車両上方側に開口して設けられた凹部に挿入される第２工程と、
前記ガイド部材を前記取付用孔部から前記燃料タンク本体の外部に抜き取る第３工程と、
を備える燃料タンクの組み付け方法。
【発明の詳細な説明】
【技術分野】
【０００１】
本発明は、燃料タンク及びその組み付け方法に関する。
【背景技術】
【０００２】
従来、樹脂製の燃料タンクでは、樹脂成形時に内蔵されたサブタンクに対して樹脂成形後に燃料ポンプ等を燃料タンク本体の取付用孔部から取り付ける。例えば、特許文献１のように、燃料ポンプの支持用スライド部材をチャンバ(サブタンク)の嵌合部に差し込んで嵌合することにより、燃料ポンプをサブタンクに取り付ける技術が提案されている。あるいは、特許文献２のように、燃料ポンプに取り付けられたブラケットを燃料タンク内部の旋回槽の切欠部に上方からスライド挿入することによって、旋回槽に燃料ポンプを固定する技術が提案されている。
【先行技術文献】
【特許文献】
【０００３】
【特許文献１】実開昭６４−１３２５７号公報
【特許文献２】実開昭６４−１１３６１号公報
【発明の概要】
【発明が解決しようとする課題】
【０００４】
上記特許文献１、２に記載された燃料ポンプの取付方法は、燃料タンク本体の取付用孔部から燃料ポンプを取付姿勢のまま上下方向に移動させるものである。したがって、燃料ポンプとフィルタ等が一体化されて大型化したポンプモジュールは、長手方向長さが取付用孔部の直径よりも長くなり、上記取付方法を適用して取付用孔部から取り付けることは困難である。
【０００５】
なお、ポンプモジュールの大型化に対応して燃料タンク本体の取付用孔部の直径を大きくすることも考えられるが、燃料タンク本体の強度等を考慮すると望ましくない。
【０００６】
本発明は上記事実を考慮し、燃料タンク本体の取付用孔部の直径よりも長手方向長さの長い内蔵部品をサブタンクに容易に取付可能な燃料タンク及びその組み付け方法を提供することを目的とする。
【課題を解決するための手段】
【０００７】
第１の態様による燃料タンクは、内部に燃料が貯留され、上壁に取付用孔部が形成された燃料タンク本体と、前記取付用孔部から前記燃料タンク本体の内部に挿入されて載置されると共に、長手方向の長さが前記取付用孔部の直径よりも長く、前記長手方向の端部に前記長手方向と直交した幅方向に延在する軸体が設けられている内蔵部品と、前記燃料タンク本体の底壁に固定され、平面視において前記取付用孔部とオフセットされた位置に前記軸体を回転可能に支持する凹部が車両上下方向上側に開口しているサブタンクと、を備える。
【０００８】
この燃料タンクでは、成形時に燃料タンク本体に内蔵されたサブタンクに対して成形後に内蔵部品を取り付ける。この際、取付用孔部から燃料タンク本体の底壁に固定されたサブタンクの凹部に向かって内蔵部品を長手方向に沿って挿入する。ここで、サブタンクの凹部は、平面視において取付用孔部とオフセットされた位置に形成されている。したがって、内蔵部品は、取付用孔部から水平方向に対して傾斜して挿入される。サブタンクに到達した内蔵部品の長手方向端部に形成された軸体が車両上下方向上側に開口しているサブタンクの凹部に挿入され、内蔵部品はサブタンクに支持される。この結果、内蔵部品が取付用孔部を通過すると、内蔵部品の長手方向と直交する幅方向に延在する軸体を回転中心として、内蔵部品を回転させてサブタンクに内蔵部品を設置する。このように、取付用孔部の直径よりも長手方向長さの長い内蔵部品を燃料タンク本体の取付用孔部から挿入してサブタンクの凹部に軸体を支持させ、内蔵部品を回転させるだけでサブタンクに内蔵部品を設置できる。すなわち、サブタンクに対する内蔵部品の取付作業性に優れる。
第２の態様による燃料タンクは、第１の態様による燃料タンクにおいて、前記サブタンクの底面から車両上方に延在する一対の側板には、前記凹部が形成されており、前記凹部は、前記側板の上面から車両下方に延在する鉛直部と、前記鉛直部の下端から車幅方向に延在する水平部と、を備え、前記水平部には、局所的に幅を狭くした係止部が形成されている。
第３の態様による燃料タンクの組み付け方法は、燃料タンク本体の上壁に形成された取付用孔部を介して前記燃料タンク本体の底壁に固定されたサブタンクに長手方向長さが前記取付用孔部の直径よりも長い内蔵部品を取り付ける燃料タンクの組み付け方法であって、ガイド部材が前記取付用孔部から前記燃料タンク本体の内部に挿入され、前記サブタンクに設けられた被係合部に長手方向一端部に形成された係合部が係合されると共に、長手方向他端部側が前記取付用孔部の縁に支持される第１工程と、前記ガイド部材の内部を前記長手方向他端部側から前記長手方向一端部側に前記内蔵部品をスライドさせることにより、前記内蔵部品の長手方向の端部に当該長手方向と直交した幅方向に延在して設けられている軸体が前記サブタンクの側壁に車両上方側に開口して設けられた凹部に挿入される第２工程と、前記ガイド部材を前記取付用孔部から前記燃料タンク本体の外部に抜き取る第３工程と、を備える。
【発明の効果】
【０００９】
第１〜第３の態様による燃料タンク及びその組み付け方法は、上記構成としたので、燃料タンク本体の取付用孔部の直径よりも長手方向長さが長い内蔵部品でも、サブタンクに容易に取り付けることができる。
【図面の簡単な説明】
【００１０】
【図１】本発明の第１実施形態に係る燃料タンクの概略構成を示す縦断面図である。
【図２】本発明の第１実施形態に係るサブタンクとポンプモジュールを示す斜視図である。
【図３】本発明の第１実施形態に係る燃料タンクにおけるポンプモジュールの取付途中状態を示す縦断面図である。
【図４】本発明の第１実施形態の他の例に係るサブタンクの凹部を示す斜視図である。
【図５】本発明の第２実施形態に係る燃料タンクにおけるポンプモジュールの取付途中状態を示す縦断面図である。
【図６】図５の６−６線断面図である。
【発明を実施するための形態】
【００１１】
[第１実施形態]
【００１２】
本発明の第１実施形態に係る燃料タンクについて図１〜図４を参照して説明する。以下の説明においては、各図面において、車両上方を矢印ＵＰ、車両幅方向を矢印Ｗ、車両前後方向を矢印ＦＲで示す。また、車両幅方向において、図１における左側をＷ１方向、右側をＷ２方向という場合がある。さらに、車両前後方向をＦＲ方向という場合がある。
【００１３】
先ず、本実施形態の燃料タンク１０の全体について図１を参照して説明する。燃料タンク１０は、燃料タンク本体１２と燃料タンク本体１２の内部に配設されるサブタンク１４と、サブタンク１４内に配設されるポンプモジュール１６と、を備える。
【００１４】
燃料タンク本体１２は、車両幅方向に延在する底壁１８と、底壁１８の車両幅方向両端部から車両上方に延在する左壁２０、右壁２２と、左壁２０、右壁２２の上端同士を結んで車両幅方向に延在する上壁２４と、を備える。
【００１５】
燃料タンク本体１２の上壁２４には、燃料タンク本体１２の内部に内蔵部品を取り付けるための取付用孔部２６が形成されている。この取付用孔部２６は、蓋体２８によって閉塞されている。なお、取付用孔部２６の直径をＤ（ｍｍ）とする。
【００１６】
燃料タンク本体１２の底壁１８上には、サブタンク１４が固定されている。サブタンク１４は、図１及び図２に示すように、底板３０と、底板３０の左端（Ｗ１方向側端部（図１、矢印Ｗ１参照））から車両上方に延在する立板３２と、底板３０と立板３２を結ぶように形成された一対の側板３４Ａ、３４Ｂと、から基本的に形成されている。このように構成されたサブタンク１４は、底板３０が立板３２と側板３４Ａ、３４Ｂで三方を囲まれ、立板３２と反対側（Ｗ２方向（図１、矢印Ｗ２参照））が開口している形状とされている。
【００１７】
一対の側板３４Ａ、３４Ｂは、図２に示すように、車両前後方向視において略Ｌ字形状とされており、上面３５Ａ、３５Ｂの上部側にポンプモジュール１６の後述する軸体５５を支持するための車両前後方向視略半円形の凹部３６Ａ、３６Ｂが形成されている。また、側板３４Ａ、３４ＢのＷ２方向側端部近傍には、ポンプモジュール１６をサブタンク１４に固定させるために、スナップフィット用の矩形状の孔部３８Ａ、３８Ｂが形成されている。さらに、側板３４Ａには、燃料タンク本体１２の底壁１８に対するカシメ用孔部４０が形成されたカシメ部４２が車両後方向側に突出形成されている。
【００１８】
なお、側板３４Ａ、３４Ｂに形成された凹部３６Ａ、３６Ｂは、ポンプモジュール１６の軸体５５が挿入され、ポンプモジュール１６がサブタンク１４に支持された場合に、ポンプモジュール１６がサブタンク１４側に回転可能なように（図１、図３、軌跡Ｌ２参照）、ポンプモジュール１６と取付用孔部２６が干渉しない位置に形成されている。本実施形態では、凹部３６Ａ、３６Ｂは平面視において取付用孔部２６とオフセットされた位置に形成されており、ポンプモジュール１６がサブタンク１４に支持された場合に回転可能にしている。ここで、「平面視」とは、取付用孔部２６の中心軸方向視のことをいう。
【００１９】
ポンプモジュール１６は、図２に示すように、基台４４と、基台４４の上部に設置される燃料ポンプ４６と、基台４４の下部に取り付けられるフィルタ４８とを備える。
【００２０】
基台４４は、矩形状の基板５０と、基板５０のＷ１方向側端部近傍で、ＦＲ方向両端部からＷ１方向に傾斜して車両上方に延在する一対の支持板５２Ａ、５２Ｂと、基板のＷ２方向側端部近傍で、ＦＲ方向両端部から上方に突出形成された嵌合凸部５４Ａ、５４Ｂと、を備える。
【００２１】
支持板５２Ａ、５２Ｂの上端近傍には孔部５３Ａ、５３Ｂが形成されている。孔部５３Ａ、５３Ｂには円柱状（断面円形）の軸体５５が挿通されている。軸体５５は、支持板５２Ａ、５２ＢのＦＲ方向の外側に突出しており、この突出している部分がサブタンク１４の凹部３６Ａ、３６Ｂに支持されるものである。この際、軸体５５は、ポンプモジュール１６の長手方向（車両幅方向）と直交する幅方向（車両前後方向）に延在するように設けられている。また、このように断面円形の軸体５５が、略半円形の凹部３６Ａ、３６Ｂに支持されることにより、ポンプモジュール１６は軸体５５を回転中心として回転可能とされている。
【００２２】
嵌合凸部５４Ａ、５４Ｂは、車両幅方向視において逆さの略Ｌ字形状であり、上方に向かうに従ってＦＲ方向の外側に傾斜した傾斜面５６Ａ、５６Ｂと、傾斜面５６Ａ、５６Ｂの上部でサブタンク１４の孔部３８Ａ、３８Ｂに挿入される膨出部５８Ａ、５８Ｂとを含む。なお、嵌合凸部５４Ａ、５４Ｂは可撓性を有する。
【００２３】
フィルタ４８は、基板５０と略同形状の矩形体形状であるが、車両幅方向長さが基板５０よりも長く、基板５０の下からＷ２方向に突出している。したがって、フィルタ４８の車両幅方向長さが、ポンプモジュール１６の長手方向長さＬ（ｍｍ）となる（図１参照）。また、フィルタ４８の上面が基板５０の下面に接合されている。
【００２４】
燃料ポンプ４６は、取付部材６０によって基板５０上に固定されている。また、燃料ポンプ４６は、フィルタ４８のポート６２から燃料供給配管６４で接続されると共に、燃料送出配管６６で燃料タンク本体１２の外部まで燃料を供給可能とされている。なお、図１に示すように、燃料送出配管６６は、蓋体２８を貫通して燃料タンク本体１２の外部まで連通している。
【００２５】
次に、第１実施形態に係る燃料タンク１０の作用について説明する。具体的には、燃料タンク１０のサブタンク１４に対するポンプモジュール１６の取付方法を説明する。
【００２６】
先ず、図３に示すように、ポンプモジュール１６の基板５０を水平（車両幅）方向に対して所定角度傾斜させた状態で、取付用孔部２６から燃料タンク本体１２の内部にポンプモジュール１６が挿入される。このように斜めにして取付用孔部２６から燃料タンク本体１２の内部にポンプモジュール１６を挿入することによって、取付用孔部２６の直径Ｄよりも長手方向長さＬが大きいポンプモジュール１６を燃料タンク本体１２の内部に挿入することができる。
【００２７】
この際、図３に示すように、ポンプモジュール１６のフィルタ４８のＦＲ方向両端部が取付用孔部２６の縁で支持された状態でポンプモジュール１６が挿入され（図３、軌跡Ｌ１参照）、ポンプモジュール１６の軸体５５がサブタンク１４の凹部３６Ａ、３６Ｂに挿入される。この結果、ポンプモジュール１６がサブタンク１４に支持される。この際、ポンプモジュール１６（フィルタ４８）の上端は取付用孔部２６の縁から離間しており（取付用孔部２６から抜けており）、後述するポンプモジュール１６の回転時に取付用孔部２６（の縁）と干渉することはない。
【００２８】
この状態で、凹部３６Ａ、３６Ｂに支持された軸体５５を中心としてポンプモジュール１６を矢印Ｒ方向に回転させる（図３、軌跡Ｌ２参照）ことにより、フィルタ４８がサブタンク１４の底板３０上に載置される（図１、図２参照）。この際、ポンプモジュール１６の基板５０に設けられていた嵌合凸部５４Ａ、５４Ｂは、側板３４Ａ、３４Ｂ間に挿入される。この結果、嵌合凸部５４Ａ、５４Ｂの傾斜面５６Ａ、５６Ｂが側板３４Ａ、３４Ｂと摺動することによって膨出部５８Ａ、５８Ｂが内側に撓みながら車両下方に移動し、側板３４Ａ、３４Ｂの孔部３８Ａ、３８Ｂに弾性的に嵌合される。すなわち、嵌合凸部５４Ａ、５４Ｂ（の膨出部５８Ａ、５８Ｂ）が側板３４Ａ、３４Ｂの孔部３８Ａ、３８Ｂに嵌合されることにより、ポンプモジュール１６がサブタンク１４に固定される。
【００２９】
このように本実施形態に係る燃料タンク１０では、ポンプモジュール１６を水平方向に対して傾斜させて取付用孔部２６から燃料タンク本体１２の内部に挿入し、サブタンク１４の凹部３６Ａ、３６Ｂにポンプモジュール１６の軸体５５を支持させると共に、軸体５５を中心としてポンプモジュール１６を回転させるだけで、スナップフィットによってサブタンク１４にポンプモジュール１６を固定することができる。すなわち、サブタンク１４にポンプモジュール１６を容易に取り付けることができる。
【００３０】
また、ポンプモジュール１６を燃料タンク本体１２の取付用孔部２６に対して斜めに挿入することによって、取付用孔部２６の直径Ｄよりもサイズ（長手方向長さＬ）が大きいポンプモジュール１６を燃料タンク本体１２の内部に挿入することができる。したがって、ポンプモジュール１６のサイズに合わせて燃料タンク本体１２の取付用孔部２６の直径Ｄを大きくする必要がない。
【００３１】
ところで、ポンプモジュール１６の軸体５５を支持するサブタンク１４の形状を車両前後方向視略半円状の凹部３６Ａ、３６Ｂとしたが、これに限定するものではない。例えば、図４に示すように、サブタンク１４の側板３４Ａ（側板３４Ｂは図示省略）に、車両前後方向視略Ｌ字形状の溝６８を形成することもできる。溝６８は、上面３５Ａから下方向に延在する鉛直部７０と鉛直部７０の下端からＷ１方向に延在する水平部７２とを備える。水平部７２の途中には、溝の幅を狭くするように係止部７４が上側に突出形成されている。
【００３２】
したがって、ポンプモジュール１６の軸体５５を溝６８の奥まで挿入することによって、軸体５５が係止部７４によって係止される。この結果、軸体５５回りにポンプモジュール１６を回転させるとき、軸体５５が安定して、サブタンク１４に対するポンプモジュール１６の取り付けが一層容易になる。
【００３３】
[第２実施形態]
【００３４】
本発明の第２実施形態に係る燃料タンクについて図５、図６を用いて説明する。第１実施形態と同様の構成要素には同一の参照符号を付して、その詳細な説明は省略する。なお、本実施形態において、ガイド部材８０の長手方向とは、図５の矢印Ｘ方向のことであり、幅方向とは図６の矢印Ｙ方向のことである。
【００３５】
本実施形態では、燃料タンク本体１２の取付用孔部２６からポンプモジュール１６を水平方向に対して傾斜した方向に挿入させるのに、ガイド部材８０を用いたものである。
【００３６】
ガイド部材８０は、図５および図６に示すように、ポンプモジュール１６のフィルタ４８を支持する底壁８２と、フィルタ４８および基板５０の側部に当接される側壁８４Ａ、８４Ｂと、側壁８４Ａ、側壁８４Ｂの上端から内側に延在し、基台４４の嵌合凸部５４Ａ、５４Ｂ（膨出部５８Ａ、５８Ｂ）の上端が当接する上壁８６Ａ、８６Ｂが形成されている。
【００３７】
底壁８２には、図６に示すように、断面円弧状の２つの凸部８８Ａ、８８Ｂがガイド部材８０の長手方向に沿って形成されており、この凸部８８Ａ、８８Ｂの頂点でフィルタ４８を支持する構成である。
【００３８】
底壁８２の幅方向両端部から上方に形成された側壁８４Ａ、８４Ｂは、ポンプモジュール１６の嵌合凸部５４Ａ、５４Ｂの膨出部５８Ａ、５８Ｂを回避するように、途中から幅方向外側に張り出した張り出し部９２Ａ、９２Ｂが形成されている。
【００３９】
上壁８６Ａ、８６Ｂは、張り出し部９２Ａ、９２Ｂの上端から幅方向内側に延在するものであり、嵌合凸部５４Ａ、５４Ｂの膨出部５８Ａ、５８Ｂの上端に当接するものである。
【００４０】
ガイド部材８０は、底壁８２、側壁８４Ａ、８４Ｂ、上壁８６Ａ、８６Ｂで囲まれた凹部９０に長手方向端部からポンプモジュール１６が挿入され、ポンプモジュール１６をガイド部材８０の長手方向に移動させる構成である。
【００４１】
なお、図５に示すように、このガイド部材８０（底壁８２）の長手方向一端の幅方向両端部には、係合部９４が形成されており、サブタンク１４の上面３５Ａ（不図示）、３５Ｂに形成された凹部９６に挿入されるものである。
【００４２】
このように形成されたガイド部材８０の長手方向長さは、長手方向の一端に形成された係合部９４がサブタンク１４の凹部９６に挿入された状態で、長手方向の他端側が取付用孔部２６の縁に支持される長さである（図５参照）。なお、この状態でポンプモジュール１６が凹部９０内をスライドしてサブタンク１４側に移動すると、軸体５５が凹部３６Ａ、３６Ｂに挿入される構成である。
【００４３】
第２実施形態に係る燃料タンク７８の作用について説明する。
【００４４】
先ず、図５に示すように、取付用孔部２６から燃料タンク本体１２の内部に向かって水平方向に対して傾斜させてガイド部材８０を挿入し、その長手方向の一端に形成された係合部９４をサブタンク１４の側板３４Ａ、３４Ｂに設けられた凹部９６に挿入する。この際、ガイド部材８０の他端側は、取付用孔部２６の縁に幅方向両端部が支持される。これによって、ガイド部材８０は、サブタンク１４と取付用孔部２６の間で位置決めされる。
【００４５】
この状態で、ガイド部材８０の長手方向他端側から、ポンプモジュール１６をガイド部材８０の凹部９０に挿入する。具体的には、フィルタ４８及び基台４４が側壁８４Ａ、８４Ｂ間に挿入され、底壁８２の２つの凸部８８Ａ、８８Ｂでフィルタ４８が支持されると共に、上壁８６Ａ、８６Ｂで嵌合凸部５４Ａ、５４Ｂの上端が規制される。なお、燃料ポンプ４６は、上壁８６Ａ、８６Ｂの間から外部に露出している。
【００４６】
この状態でガイド部材８０の凹部９０内をサブタンク１４側にポンプモジュール１６をスライドさせると、フィルタ４８が底壁８２の凸部８８Ａ、８８Ｂ上を摺動しながらサブタンク１４側に移動する。この結果、ポンプモジュール１６の軸体５５がサブタンク１４の凹部３６Ａ、３６Ｂに挿入される。ここで、ガイド部材８０を取付用孔部２６から引き抜くと、ガイド部材８０の支持がなくなったポンプモジュール１６は軸体５５回りに矢印Ｒ方向に回転し、サブタンク１４に嵌合固定される。
【００４７】
このように、本実施形態の燃料タンク７８では、取付用孔部２６から燃料タンク本体１２の内部にガイド部材８０を挿入することによってサブタンク１４の凹部９６に係合部９４を挿入して、サブタンク１４と取付用孔部２６の間で容易に位置決めすることができる。
【００４８】
また、位置決めされたガイド部材８０の凹部９０にポンプモジュール１６を挿入するだけで、サブタンク１４の凹部３６Ａ、３６Ｂにポンプモジュール１６の軸体５５が自動的に挿入される。その後、取付用孔部２６からガイド部材８０を引き抜くだけで、ポンプモジュール１６が自重で矢印Ｒ方向に回転してサブタンク１４に嵌合される。このように、ほぼガイド部材８０の操作のみでサブタンク１４にポンプモジュール１６を固定可能である。すなわち、サブタンク１４にポンプモジュール１６を容易に取り付けることができる。
【００４９】
さらに、ポンプモジュール１６のフィルタ４８は、ガイド部材８０の内部、特に底壁８２上を摺動するが、断面円弧状に湾曲した凸部８８Ａ、８８Ｂの頂点上を摺動しているだけなので、取付用孔部２６の縁部を摺動する場合と比較してフィルタ４８が傷つくことが抑制される。
【００５０】
なお、一連の実施形態ではサブタンク１４にポンプモジュール１６の取り付ける場合について説明したが、サブタンク１４に他の部材を取り付ける場合にも適用することが可能である。
【００５１】
また、一連の実施形態では、サブタンク１４の凹部３６Ａ、３６Ｂを平面視において取付用孔部２６とオフセットされた位置に形成したことにより、ポンプモジュール１６がサブタンク１４で支持されたときにポンプモジュール１６が取付用孔部２６を抜ける構成としたが、これに限定されるものではない。すなわち、凹部３６Ａ、３６Ｂに軸体５５が挿入されたときに、ポンプモジュール１６がサブタンク１４に向かって回転可能であれば（ポンプモジュール１６と取付用孔部２６が干渉しなければ）良い。
【００５２】
さらに、一連の実施形態では、ポンプモジュール１６の軸体５５を設けたが、支持板５２Ａ、５２Ｂから車両前後方向に延在する円柱状のピン部材を突出形成したものでも良い。
【符号の説明】
【００５３】
１０、７８  燃料タンク
１２  燃料タンク本体
１４  サブタンク
１６  ポンプモジュール（内蔵部品）
２４  上壁
２６  取付用孔部
３６Ａ、３６Ｂ  凹部
５５  軸体
６８  溝（凹部）
Ｄ  取付用孔部の直径
Ｌ  ポンプモジュールの長手方向長さ
【図１】
0006327142.tif 000002
【図２】
0006327142.tif 000003
【図３】
0006327142.tif 000004
【図４】
0006327142.tif 000005
【図５】
0006327142.tif 000006
【図６】
0006327142.tif 000007